【手続補正書】
【提出日】平成22年11月4日(2010.11.4)
【手続補正１】
【補正対象書類名】特許請求の範囲
【補正対象項目名】全文
【補正方法】変更
【補正の内容】
【特許請求の範囲】
【請求項１】
紙もしくは紙をベースとした基材を搬送する手段および反転させ搬送する手段を有し、該基材の表面及び裏面に、機能性材料を含む液体をインクジェット原理の噴射ヘッドでドットとして付与し、該ドット中の揮発成分を揮発させ、固形分を前記基材の表面及び裏面に残留させることによってドットパターンを形成してなる電子デバイスあるいは電子回路の製造装置において、前記液体は、前記機能性材料が呈する色とは別の色を呈する色材を含有する液体であることを特徴とする電子デバイスあるいは電子回路の製造装置。
【請求項２】
前記噴射ヘッドを複数個有し、各噴射ヘッドはそれぞれ異なる機能性材料ならびにそれらが呈する色とは別の色を呈する色材を含有する液体を噴射付与することを特徴とする請求項１に記載の電子デバイスあるいは電子回路の製造装置。
【請求項３】
紙もしくは紙をベースとした基材上に、機能性材料を含む液体をドットとして形成し、該ドット中の揮発成分を揮発させ、固形分を前記基材上に残留させることによってドットパターンを形成してなる電子デバイスにおいて、該電子デバイスは自重で撓まない電子デバイスであって、前記ドットパターンは、前記機能性材料を含む液体によって形成されたパターンが呈する色とは別の色を呈するように、前記機能性材料に加えて色材を含有させた液体によって形成されたパターンであることを特徴とする電子デバイス。
【請求項４】
前記ドットパターンは、複数ドットの組み合わせによって所望のパターンとしたドットパターンであることを特徴とする請求項３に記載の電子デバイス。
【請求項５】
前記ドットパターン、あるいは前記複数ドットの組み合わせによって所望のパターンとしたドットパターンは、複数種類の異なる機能性材料ならびにそれらが呈する色とは別の色を呈する色材を含有する液体をドットとして形成し、該ドット中の揮発成分を揮発させ、固形分を前記基材上に残留させることによって形成され、各機能ごとに着色されたドットパターンであることを特徴とする請求項４に記載の電子デバイス。
【請求項６】
前記ドットパターンを前記基材の表裏に形成したことを特徴とする請求項３から５のいずれか１項に記載の電子デバイス。
【請求項７】
紙もしくは紙をベースとしたシート上に、機能性材料を含む液体をドットとして形成し、該ドット中の揮発成分を揮発させ、固形分を前記シート上に残留させることによってドットパターンを形成してなる電子回路シートにおいて、該電子回路シートは自重で撓まない電子回路シートであって、前記ドットパターンは、前記機能性材料を含む液体によって形成されたパターンが呈する色とは別の色を呈するように、前記機能性材料に加えて色材を含有させた液体によって形成されたパターンであることを特徴とする電子回路シート。
【請求項８】
前記ドットパターンは、複数ドットの組み合わせによって所望のパターンとしたドットパターンであることを特徴とする請求項７に記載の電子回路シート。
【請求項９】
前記ドットパターン、あるいは前記複数ドットの組み合わせによって所望のパターンとしたドットパターンは、複数種類の異なる機能性材料ならびにそれらが呈する色とは別の色を呈する色材を含有する液体をドットとして形成し、該ドット中の揮発成分を揮発させ、固形分を前記シート上に残留させることによって形成され、各機能ごとに着色されたドットパターンであることを特徴とする請求項８に記載の電子回路シート。
【請求項１０】
前記ドットパターンを前記シートの表裏に形成したことを特徴とする請求項７から９のいずれか１項に記載の電子回路シート。
【手続補正２】
【補正対象書類名】明細書
【補正対象項目名】発明の名称
【補正方法】変更
【補正の内容】
【発明の名称】電子デバイスあるいは電子回路の製造装置、電子デバイスおよび電子回路シート
【手続補正３】
【補正対象書類名】明細書
【補正対象項目名】０００１
【補正方法】変更
【補正の内容】
【０００１】
本発明は、電気的機能発現材料を基材上にインクジェット法により付与してパターン形成を行い、電子デバイスあるいは電子回路を形成する装置およびその装置によって形成される電子デバイスあるいは電子回路シートに関する。
【手続補正４】
【補正対象書類名】明細書
【補正対象項目名】００１２
【補正方法】変更
【補正の内容】
【００１２】
本発明は前記目的を達成するために第１に、紙もしくは紙をベースとした基材を搬送する手段および反転させ搬送する手段を有し、該基材の表面及び裏面に、機能性材料を含む液体をインクジェット原理の噴射ヘッドでドットとして付与し、該ドット中の揮発成分を揮発させ、固形分を前記基材の表面及び裏面に残留させることによってドットパターンを形成してなる電子デバイスあるいは電子回路の製造装置において、前記液体は、前記機能性材料が呈する色とは別の色を呈する色材を含有する液体であるようにした。
【手続補正５】
【補正対象書類名】明細書
【補正対象項目名】００１４
【補正方法】変更
【補正の内容】
【００１４】
さらに第３に、紙もしくは紙をベースとした基材上に、機能性材料を含む液体をドットとして形成し、該ドット中の揮発成分を揮発させ、固形分を前記基材上に残留させることによってドットパターンを形成してなる電子デバイスにおいて、該電子デバイスは自重で撓まない電子デバイスであって、前記ドットパターンは、前記機能性材料を含む液体によって形成されたパターンが呈する色とは別の色を呈するように、前記機能性材料に加えて色材を含有させた液体によって形成されたパターンであるようにした。
【手続補正６】
【補正対象書類名】明細書
【補正対象項目名】００１５
【補正方法】変更
【補正の内容】
【００１５】
また第４に、上記第３の電子デバイスにおいて、前記ドットパターンは、複数ドットの組み合わせによって所望のパターンとしたドットパターンであるようにした。
【手続補正７】
【補正対象書類名】明細書
【補正対象項目名】００１６
【補正方法】変更
【補正の内容】
【００１６】
さらに第５に、上記第４の電子デバイスにおいて、前記ドットパターン、あるいは前記複数ドットの組み合わせによって所望のパターンとしたドットパターンは、複数種類の異なる機能性材料ならびにそれらが呈する色とは別の色を呈する色材を含有する液体をドットとして形成し、該ドット中の揮発成分を揮発させ、固形分を前記基材上に残留させることによって形成され、各機能ごとに着色されたドットパターンであるようにした。
【手続補正８】
【補正対象書類名】明細書
【補正対象項目名】００１７
【補正方法】変更
【補正の内容】
【００１７】
また第６に、上記第３から第５のいずれか１項の電子デバイスにおいて、前記ドットパターンを前記基材の表裏に形成したようにした。
【手続補正９】
【補正対象書類名】明細書
【補正対象項目名】００１８
【補正方法】変更
【補正の内容】
【００１８】
さらに第７に、紙もしくは紙をベースとしたシート上に、機能性材料を含む液体をドットとして形成し、該ドット中の揮発成分を揮発させ、固形分を前記シート上に残留させることによってドットパターンを形成してなる電子回路シートにおいて、該電子回路シートは自重で撓まない電子回路シートであって、前記ドットパターンは、前記機能性材料を含む液体によって形成されたパターンが呈する色とは別の色を呈するように、前記機能性材料に加えて色材を含有させた液体によって形成されたパターンであるようにした。
【手続補正１０】
【補正対象書類名】明細書
【補正対象項目名】００１９
【補正方法】変更
【補正の内容】
【００１９】
また第８に、上記第７の電子回路シートにおいて、前記ドットパターンは、複数ドットの組み合わせによって所望のパターンとしたドットパターンであるようにした。
【手続補正１１】
【補正対象書類名】明細書
【補正対象項目名】００２０
【補正方法】変更
【補正の内容】
【００２０】
さらに第９に、上記第８の電子回路シートにおいて、前記ドットパターン、あるいは前記複数ドットの組み合わせによって所望のパターンとしたドットパターンは、複数種類の異なる機能性材料ならびにそれらが呈する色とは別の色を呈する色材を含有する液体をドットとして形成し、該ドット中の揮発成分を揮発させ、固形分を前記シート上に残留させることによって形成され、各機能ごとに着色されたドットパターンであるようにした。
【手続補正１２】
【補正対象書類名】明細書
【補正対象項目名】００２１
【補正方法】変更
【補正の内容】
【００２１】
また第１０に、上記第７から第９のいずれか１項の電子回路シートにおいて、前記ドットパターンを前記シートの表裏に形成したようにした。
【手続補正１３】
【補正対象書類名】明細書
【補正対象項目名】０２２４
【補正方法】変更
【補正の内容】
【０２２４】
さらに他の目的は、このような製造装置によって製作される新規な電子デバイスを提供することにある。
【手続補正１４】
【補正対象書類名】明細書
【補正対象項目名】０２２５
【補正方法】変更
【補正の内容】
【０２２５】
また他の目的もまた、このような製造装置によって製作される新規な電子デバイスを提供することにある。
【手続補正１５】
【補正対象書類名】明細書
【補正対象項目名】０２２６
【補正方法】変更
【補正の内容】
【０２２６】
さらに他の目的は、このような製造装置によって製作される新規かつより複雑な電子デバイスを提供することにある。
【手続補正１６】
【補正対象書類名】明細書
【補正対象項目名】０２２７
【補正方法】変更
【補正の内容】
【０２２７】
また他の目的は、このような製造装置によって製作される新規な電子デバイスを提供することにある。
【手続補正１７】
【補正対象書類名】明細書
【補正対象項目名】０２２８
【補正方法】変更
【補正の内容】
【０２２８】
さらに他の目的は、このような製造装置によって製作される新規な電子回路シートを提供することにある。
【手続補正１８】
【補正対象書類名】明細書
【補正対象項目名】０２２９
【補正方法】変更
【補正の内容】
【０２２９】
また他の目的もまた、このような製造装置によって製作される新規な電子回路シートを提供することにある。
【手続補正１９】
【補正対象書類名】明細書
【補正対象項目名】０２３０
【補正方法】変更
【補正の内容】
【０２３０】
さらに他の目的は、このような製造装置によって製作される新規かつより複雑な電子回路シートを提供することにある。
【手続補正２０】
【補正対象書類名】明細書
【補正対象項目名】０２３１
【補正方法】変更
【補正の内容】
【０２３１】
また他の目的は、このような製造装置によって製作される新規な電子回路シートを提供することにある。
【手続補正２１】
【補正対象書類名】明細書
【補正対象項目名】０２３３
【補正方法】変更
【補正の内容】
【０２３３】
請求項３の発明によれば、紙もしくは紙をベースとした基材上に、機能性材料を含む液体をドットとして形成し、該ドット中の揮発成分を揮発させ、固形分を前記基材上に残留させることによってドットパターンを形成してなる電子デバイスにおいて、該電子デバイスは自重で撓まない電子デバイスであって、前記ドットパターンは、前記機能性材料を含む液体によって形成されたパターンが呈する色とは別の色を呈するように、前記機能性材料に加えて色材を含有させた液体によって形成されたパターンであるようにしたので、電子デバイスとして機能する部分が明確に識別できる新規な電子デバイスを実現できた。
【手続補正２２】
【補正対象書類名】明細書
【補正対象項目名】０２３４
【補正方法】変更
【補正の内容】
【０２３４】
請求項４の発明によれば、このような電子デバイスにおいて、前記ドットパターンは、複数ドットの組み合わせによって所望のパターンとしたドットパターンであるようにしたので、請求項３の効果と同様に、電子デバイスとして機能する部分が明確に識別できる新規な電子デバイスを実現できた。
【手続補正２３】
【補正対象書類名】明細書
【補正対象項目名】０２３５
【補正方法】変更
【補正の内容】
【０２３５】
請求項５の発明によれば、このような電子デバイスにおいて、前記ドットパターン、あるいは前記複数ドットの組み合わせによって所望のパターンとしたドットパターンは、複数種類の異なる機能性材料ならびにそれらが呈する色とは別の色を呈する色材を含有する液体をドットとして形成し、該ドット中の揮発成分を揮発させ、固形分を前記基材上に残留させることによって形成され、各機能ごとに着色されたドットパターンであるようにしたので、請求項４の効果に加え、より複雑な電子デバイスを実現できた。
【手続補正２４】
【補正対象書類名】明細書
【補正対象項目名】０２３６
【補正方法】変更
【補正の内容】
【０２３６】
請求項６の発明によれば、このような電子デバイスにおいて、前記ドットパターンを前記基材の表裏に形成した電子デバイスを実現できた。
【手続補正２５】
【補正対象書類名】明細書
【補正対象項目名】０２３７
【補正方法】変更
【補正の内容】
【０２３７】
請求項７の発明によれば、紙もしくは紙をベースとしたシート上に、機能性材料を含む液体をドットとして形成し、該ドット中の揮発成分を揮発させ、固形分を前記シート上に残留させることによってドットパターンを形成してなる電子回路シートにおいて、該電子回路シートは自重で撓まない電子回路シートであって、前記ドットパターンは、前記機能性材料を含む液体によって形成されたパターンが呈する色とは別の色を呈するように、前記機能性材料に加えて色材を含有させた液体によって形成されたパターンであるようにしたので、電子回路として機能する部分が明確に識別できる新規な電子回路シートを実現できた。
【手続補正２６】
【補正対象書類名】明細書
【補正対象項目名】０２３８
【補正方法】変更
【補正の内容】
【０２３８】
請求項８の発明によれば、このような電子回路シートにおいて、前記ドットパターンは、複数ドットの組み合わせによって所望のパターンとしたドットパターンであるようにしたので、請求項７の効果と同様に、電子回路として機能する部分が明確に識別できる新規な電子回路シートを実現できた。
【手続補正２７】
【補正対象書類名】明細書
【補正対象項目名】０２３９
【補正方法】変更
【補正の内容】
【０２３９】
請求項９の発明によれば、このような電子回路シートにおいて、前記ドットパターン、あるいは前記複数ドットの組み合わせによって所望のパターンとしたドットパターンは、複数種類の異なる機能性材料ならびにそれらが呈する色とは別の色を呈する色材を含有する液体をドットとして形成し、該ドット中の揮発成分を揮発させ、固形分を前記シート上に残留させることによって形成され、各機能ごとに着色されたドットパターンであるようにしたので、請求項８の効果に加え、より複雑な電子回路シートを実現できた。
【手続補正２８】
【補正対象書類名】明細書
【補正対象項目名】０２４０
【補正方法】変更
【補正の内容】
【０２４０】
請求項１０の発明によれば、このような電子回路シートにおいて、前記ドットパターンを前記シートの表裏に形成した電子回路シートを実現できた。